(57)【要約】      （修正有）【課題】燃料電池システムを稼働しながらセルスタックの劣化状態を診断することができる燃料電池システムを提供する。【解決手段】燃料ガスを改質するための改質器と、改質器にて改質された改質燃料ガス及び酸化材の酸化及び還元により発電を行うセルスタックと、燃料ガスポンプ２０などを制御するためのコントローラ５２とを備えた燃料電池システムである。コントローラ５２は、セルスタックの劣化診断を行うためのスタック劣化診断手段５８を含む。スタック劣化診断手段５８は、劣化診断期間毎にセルスタックの劣化進行状態（スタック劣化勾配値）を演算するスタック劣化勾配値演算手段７８と、このスタック劣化勾配値に基づいて基準寿命時間におけるスタック予測劣化値を演算するスタック予測劣化値演算手段８０と、このスタック劣化予測値に基づいて劣化進行を判定するスタック劣化判定手段８２とを含んでいる。【選択図】図２
2018147847.tif 000002
【特許請求の範囲】
【請求項１】
燃料ガスを改質するための改質器と、前記改質器にて改質された改質燃料ガス及び酸化材の酸化及び還元により発電を行うための複数の燃料電池セルを備えたセルスタックと、前記改質器に燃料ガスを供給するための燃料ガスポンプと、前記セルスタックに酸化材を供給するための酸化材ブロアと、前記改質器に改質水を供給するための水ポンプと、前記燃料ガスポンプ、前記酸化材ブロア及び前記水ポンプを制御するためのコントローラと、を備えた燃料電池システムであって、
前記コントローラは、前記セルスタックの劣化診断を行うためのスタック劣化診断手段を含み、前記スタック劣化診断手段は、劣化診断期間の間隔毎に前記セルスタックの劣化進行状態を演算するためのスタック劣化勾配値演算手段と、前記スタック劣化勾配値演算手段によるスタック劣化勾配値に基づいて基準寿命時間におけるスタック予測劣化値を演算するためのスタック予測劣化値演算手段と、前記スタック予測値演算手段による前記スタック劣化予測値に基づいて劣化が進行しているか否かを判定するスタック劣化判定手段と、を含んでいることを特徴とする燃料電池システム。
【請求項２】
前記スタック劣化判定手段は、前記基準寿命期間におけるスタック劣化判定基準値と前記スタック予測劣化値演算手段による前記スタック予測劣化値とを比較し、前記スタック予測劣化値が前記スタック劣化判定基準値を超えて劣化すると劣化進行と判定することを特徴とする請求項１に記載の燃料電池システム。
【請求項３】
前記スタック劣化診断手段は、更に、前記セルスタックの温度を検知するための温度検知手段及び／又は前記セルスタックの発電出力を検知するための出力検知手段と、前記温度検知手段の検知温度及び／又は前記出力検知手段の検知出力の計測時間毎の移動平均値を演算するための移動平均値演算手段とを含み、前記移動平均値演算手段による前記検知温度及び／又は前記検知出力の前記移動平均値が前記劣化診断期間の間にわたって更新され、前記スタック劣化勾配値演算手段は、前記劣化診断期間の経過時の前記検知温度及び／又は前記検知出力の現移動平均値と一つ前の前記劣化診断期間の前記検知温度及び／又は前記検知出力の前移動平均値に基づいて前記スタック劣化勾配値を演算することを特徴とする請求項１に記載の燃料電池システム。
【請求項４】
前記移動平均値演算手段は、前記温度検知手段の検知温度の計測時間毎の移動平均値を演算し、前記移動平均値演算手段による前記検知温度の前記移動平均値が前記劣化診断期間の間にわたって更新され、前記スタック劣化勾配値演算手段は、前記検知温度の前記現移動平均値と前記前移動平均値に基づいて前記スタック劣化勾配値を演算し、前記スタック劣化判定手段は、前記スタック予測劣化値が前記スタック劣化判定基準値を超えて劣化すると劣化進行と判定し、この劣化判定に基づいて、前記燃料ガスポンプの回転数が増大補正されることを特徴とする請求項３に記載の燃料電池システム。
【請求項５】
前記移動平均値演算手段は、前記出力検知手段の検知出力の計測時間毎の移動平均値を演算し、前記移動平均値演算手段による前記検知出力の前記移動平均値が前記劣化診断期間の間にわたって更新され、前記スタック劣化勾配値演算手段は、前記検知出力の前記現移動平均値と前記前移動平均値に基づいて前記スタック劣化勾配値を演算し、前記スタック劣化判定手段は、前記スタック予測劣化値が前記スタック劣化判定基準値を超えて劣化すると劣化進行と判定し、この劣化判定に基づいて、前記セルスタックの電流掃引の上限値が低下補正されることを特徴とする請求項３に記載の燃料電池システム。
【請求項６】
前記温度検知手段及び／又は前記出力検知手段により検知される前記セルスタックの温度及び／又は前記セルスタックの発電出力は、外気の温度に基づいて補正されることを特徴とする請求項３に記載の燃料電池システム。
【発明の詳細な説明】
【技術分野】
【０００１】
本発明は、燃料ガス及び酸化材ガスを反応させて発電するセルスタックを備えた燃料電池システムに関する。
【背景技術】
【０００２】
燃料電池システムにおけるセルスタックの劣化診断方法として、セルスタックの発電出力を変化せて劣化診断を行う方法が提案されている（例えば、特許文献１参照）。セルスタックとして、例えば固体電解質を用いたものが実用に供されており、この固体酸化物形のセルスタックでは、酸素イオンを伝導する固体電解質を間に挟んでその片側に燃料極が配設され、その他側に空気極が配設され、固体電解質の材料としては一般的にイットリアをドープしたジルコニアが用いられている。セルスタックの燃料極側には燃料ガス（水素、一酸化炭素など）が供給され、その酸素極側には酸化材ガス（空気、酸素など）が供給され、燃料ガスと酸化材ガスとを電気化学反応させて発電が行われる。
【０００３】
従来のセルスタックの劣化診断方法では、このセルスタックの出力電力を変化させたときのセルスタックの出力電流及び出力電圧を検知し、この検知電流及び検知電圧に基づいてセルスタックのＩ−Ｖ特性を推定する。そして、この推定Ｉ−Ｖ特性の傾き及び無負荷時の出力電圧（所謂、推定切片）を求め、この傾き及び推定切片に基づいてセルスタックの劣化状態を判定している。また、セルスタックの二つの部位、即ち第１及び第２の部位の間の出力電圧を検出し、これらの出力電圧を用いて仮想開回路電圧を演算し、これらの仮想開回路電圧に基づいてセルスタックの局部的な劣化を診断している。このようなセルスタックの診断方法では、セルスタックの二つの部位の検知出力を用いているので、セルスタックの温度変動及び燃料ガスの組成変動の影響を受けることなくセルスタックの局部的な劣化状態を診断することができる。
【先行技術文献】
【特許文献】
【０００４】
【特許文献１】特開２０１２−２０４１２５号公報
【発明の概要】
【発明が解決しようとする課題】
【０００５】
しかしながら、この従来の劣化診断方法では、次の通りの解決すべき問題がある。第１に、劣化診断を行うためには推定Ｉ−Ｖ特性を得る必要があり、この推定Ｉ−Ｖ特性を得るためには、セルスタックの発電出力を低下側に数段階に絞る必要がある。それ故に、電力負荷が大きいときにこのようにセルスタックの発電出力を絞ることは、燃料電池システムから電力負荷に送給される発電電力が一時的に低下し、燃料電池システムのエコ運転（電力負荷において必要とされる負荷電力に対応する電力を発電して電力負荷に送給する運転）に寄与しない運転状態となる。
【０００６】
第２に、セルスタックの二つの部位（即ち、第１及び第２の部位）の間の出力電圧を検出し、これらの出力電圧を利用して仮想開回路電圧に基づいてセルスタックの局部的な劣化を診断しており、それ故に、セルスタックの出力電圧を検知するための電圧検知手段を２カ所以上に設置する必要があり、この劣化診断方法を実現するための構造が複雑になる。
【０００７】
本発明の目的は、燃料電池システムを稼働しながらセルスタックの劣化状態を診断することができる燃料電池システムを提供することである。
【課題を解決するための手段】
【０００８】
本発明の請求項１に記載の燃料電池システムは、燃料ガスを改質するための改質器と、前記改質器にて改質された改質燃料ガス及び酸化材の酸化及び還元により発電を行うための複数の燃料電池セルを備えたセルスタックと、前記改質器に燃料ガスを供給するための燃料ガスポンプと、前記セルスタックに酸化材を供給するための酸化材ブロアと、前記改質器に改質水を供給するための水ポンプと、前記燃料ガスポンプ、前記酸化材ブロア及び前記水ポンプを制御するためのコントローラと、を備えた燃料電池システムであって、
前記コントローラは、前記セルスタックの劣化診断を行うためのスタック劣化診断手段を含み、前記スタック劣化診断手段は、劣化診断期間の間隔毎に前記セルスタックの劣化進行状態を演算するためのスタック劣化勾配値演算手段と、前記スタック劣化勾配値演算手段によるスタック劣化勾配値に基づいて基準寿命時間におけるスタック予測劣化値を演算するためのスタック予測劣化値演算手段と、前記スタック予測値演算手段による前記スタック劣化予測値に基づいて劣化が進行しているか否かを判定するスタック劣化判定手段と、を含んでいることを特徴とする。
【０００９】
また、本発明の請求項２に記載の燃料電池システムでは、前記スタック劣化判定手段は、前記基準寿命期間におけるスタック劣化判定基準値と前記スタック予測劣化値演算手段による前記スタック予測劣化値とを比較し、前記スタック予測劣化値が前記スタック劣化判定基準値を超えて劣化すると劣化進行と判定することを特徴とする。
【００１０】
また、本発明の請求項３に記載の燃料電池システムでは、前記スタック劣化診断手段は、更に、前記セルスタックの温度を検知するための温度検知手段及び／又は前記セルスタックの発電出力を検知するための出力検知手段と、前記温度検知手段の検知温度及び／又は前記出力検知手段の検知出力の計測時間毎の移動平均値を演算するための移動平均値演算手段とを含み、前記移動平均値演算手段による前記検知温度及び／又は前記検知出力の前記移動平均値が前記劣化診断期間の間にわたって更新され、前記スタック劣化勾配値演算手段は、前記劣化診断期間の経過時の前記検知温度及び／又は前記検知出力の現移動平均値と一つ前の前記劣化診断期間の前記検知温度及び／又は前記検知出力の前移動平均値に基づいて前記スタック劣化勾配値を演算することを特徴とする。
【００１１】
また、本発明の請求項４に記載の燃料電池システムでは、前記移動平均値演算手段は、前記温度検知手段の検知温度の計測時間毎の移動平均値を演算し、前記移動平均値演算手段による前記検知温度の前記移動平均値が前記劣化診断期間の間にわたって更新され、前記スタック劣化勾配値演算手段は、前記検知温度の前記現移動平均値と前記前移動平均値に基づいて前記スタック劣化勾配値を演算し、前記スタック劣化判定手段は、前記スタック予測劣化値が前記スタック劣化判定基準値を超えて劣化すると劣化進行と判定し、この劣化判定に基づいて、前記燃料ガスポンプの回転数が増大補正されることを特徴とする。
【００１２】
また、本発明の請求項５に記載の燃料電池システムでは、前記移動平均値演算手段は、前記出力検知手段の検知出力の計測時間毎の移動平均値を演算し、前記移動平均値演算手段による前記検知出力の前記移動平均値が前記劣化診断期間の間にわたって更新され、前記スタック劣化勾配値演算手段は、前記検知出力の前記現移動平均値と前記前移動平均値に基づいて前記スタック劣化勾配値を演算し、前記スタック劣化判定手段は、前記スタック予測劣化値が前記スタック劣化判定基準値を超えて劣化すると劣化進行と判定し、この劣化判定に基づいて、前記セルスタックの電流掃引の上限値が低下補正されることを特徴とする。
【００１３】
更に、本発明の請求項６に記載の燃料電池システムでは、前記温度検知手段及び／又は前記出力検知手段により検知される前記セルスタックの温度及び／又は前記セルスタックの発電出力は、外気の温度に基づいて補正されることを特徴とする。
【発明の効果】
【００１４】
本発明の請求項１に記載の燃料電池システムによれば、システムを制御するためのコントローラは、セルスタックの劣化診断を行うためのスタック劣化診断手段を備え、このスタック劣化診断手段は、スタック劣化勾配値演算手段、スタック予測劣化値演算手段及びスタック劣化判定手段を含み、スタック劣化勾配値演算手段は、劣化診断期間の間隔毎にセルスタックの劣化進行状態（即ち、スタック劣化勾配値）を演算し、スタック予測劣化値演算手段は、スタック劣化勾配値演算手段によるスタック劣化勾配値に基づいて基準寿命時間におけるスタック予測劣化値を演算し、スタック劣化判定手段は、スタック予測劣化値演算手段によるスタック予測劣化値に基づいて劣化が進行しているか否かを判定するので、基準寿命期間の経過前においてセルスタックの劣化進行状態を知ることができ、またこのセルスタックの劣化診断を燃料電池システムの稼働運転中において行うことができる。
【００１５】
また、本発明の請求項２に記載の燃料電池システムによれば、スタック劣化判定手段は、基準寿命期間におけるスタック劣化判定基準値とスタック予測劣化値演算手段によるスタック予測劣化値とを比較して劣化進行を判定するので、基準寿命期間の経過前においてセルスタックの劣化状態を予測して知ることができる。
【００１６】
また、本発明の請求項３に記載の燃料電池システムによれば、スタック劣化診断手段は、更に、セルスタックの温度を検知するための温度検知手段及び／又はセルスタックの発電出力を検知するための出力検知手段と、温度検知手段の検知温度及び／又は出力検知手段の検知出力の計測時間毎の移動平均値を演算するための移動平均値演算手段とを含み、移動平均値演算手段による移動平均値が劣化診断期間の間にわたって更新されるので、この劣化診断期間におけるセルスタックの温度変化及び／又は発電出力の変化を検知することができる。セルスタックでは、劣化が進行するに従いその温度が低下し、またその発電出力が低下し、それ故に、この劣化診断期間におけるセルスタックの温度及び／又は発電出力の変動からセルスタックの劣化状態を予測して診断することができる。
【００１７】
また、本発明の請求項４に記載の燃料電池システムによれば、移動平均値演算手段は、温度検知手段の検知温度の計測時間毎の移動平均値を演算し、移動平均値演算手段による検知温度の移動平均値が劣化診断期間の間にわたって更新される。そして、スタック劣化判定手段がこの検知温度の移動平均値に基づいて劣化進行と判定すると、燃料ガスポンプの回転数が増大補正され、このように増大補正することにより、セルスタックの燃料利用率が下がり、余剰燃料ガスの燃焼によりセルスタックの温度上昇が図られ、その結果、改質器での水蒸気改質を促進させてセルスタックの劣化進行を緩和させることができる。
【００１８】
また、本発明の請求項５に記載の燃料電池システムによれば、移動平均値演算手段は、出力検知手段の検知出力の計測時間毎の移動平均値を演算し、移動平均値演算手段による検知出力の移動平均値が劣化診断期間の間にわたって更新される。そして、スタック劣化判定手段は、この検知出力の移動平均値に基づいて劣化進行と判定すると、セルスタックの電流掃引の上限値が低下補正され、このように電流掃引の上限値を下げることにより、セルスタックの発電出力を抑えてその劣化進行を緩和させることができる。
【００１９】
更に、本発明の請求項６に記載の燃料電池システムによれば、温度検知手段及び／又は出力検知手段により検知されるセルスタックの温度及び／又はセルスタックの発電出力は、外気の温度に基づいて補正されるので、セルスタックの発電状態における温度及び／又は発電出力を外部温度の影響を受けることなく検知することができる。
【図面の簡単な説明】
【００２０】
【図１】本発明に従う燃料電池システムの一実施形態を簡略的に示す簡略図。
【図２】図１の燃料電池システムの制御系を示すブロック図。
【図３】セルスタックの温度に基づく劣化進行の判定を説明するための図。
【図４】セルスタックの出力電圧に基づく劣化進行の判定を説明するための図。
【図５】外気温度とセルスタックの温度との関係を示す図。
【図６】外気温度とセルスタックの出力電圧との関係を示す図。
【図７】セルスタックの劣化診断の流れを示すフローチャート。
【発明を実施するための形態】
【００２１】
以下、添付図面を参照して、本発明に従う燃料電池システムの一実施形態について説明する。尚、この実施形態では、本発明を燃料電池システムの一例としての固体酸化物形の燃料電池システムに適用して説明するが、その他の形態の燃料電池システム、例えば固体高分子形の燃料電池システムなどにも同様に適用することができる。
【００２２】
図１において、図示の燃料電池システム２は、改質器４及びセルスタック６を備えている。改質器４は、改質触媒として例えばアルミナにルテニウムを担持させたものが用いられ、この改質触媒によって、燃料ガスが後述するようにして水蒸気改質される。燃料ガスとしては、天然ガス（例えば、都市ガス）などが用いられる。
【００２３】
セルスタック６は、電気化学反応によって発電を行うための複数個の固体酸化物形の燃料電池セル（図示せず）を集電部材を介して積層することにより構成されている。この燃料電池セルは、酸素イオンを伝導する固体電解質と、固体電解質の片側に設けられた燃料極と、固体電解質の他側に設けられた酸素極とを備え、固体電解質として例えばイットリアをドープしたジルコニアが用いられる。
【００２４】
セルスタック６の燃料極側は、改質燃料ガス送給ライン８を介して改質器４に接続され、またその酸素極側は、空気供給ライン１０を介して空気ブロア１２（酸化材ブロアとして機能する）に接続されている。空気ブロア１２は、酸化材としての空気を空気供給ライン１０を通してセルスタック６の空気極側に供給し、その回転数を制御することによって、セルスタック６に供給される空気の供給量が制御される。
【００２５】
改質器４は、燃料ガス送給ライン１４を介して脱硫装置１６に接続され、この脱硫装置１６は、燃料ガス供給ライン１８を介して燃料ガス供給源（図示せず）（例えば、埋設管、燃料ガスタンクなど）に接続され、この燃料ガス供給ライン１８には、燃料ガスポンプ２０が配設されている。燃料ガスポンプ２０は、燃料ガス供給ライン１８を通して燃料ガスを脱硫装置１６に供給し、脱硫器１６は、燃料ガス中に含まれる硫黄成分を除去し、硫黄成分が除去された燃料ガスが燃料ガス送給ライン１４を通して改質器４に送給される。この燃料ガスポンプ２０は、その回転数を制御することによって、改質器４に供給される燃料ガスの供給量が制御される。
【００２６】
この実施形態では、燃料ガス送給ライン１４に水蒸気送給ライン２２の一端側が接続され、その他端側が気化器２４に接続され、この気化器２４は、水供給ライン２６を介して改質水供給源（図示せず）（例えば、水タンク、水道管など）に接続されている。水供給ライン２６には、水ポンプ２８が配設されている。水ポンプ２８は、水供給ライン２６を通して改質水を気化器２４に供給する。この水ポンプ２８は、その回転数を制御することによって、気化器２４に供給される改質水の供給量が制御される。気化器２４は、改質水を気化して水蒸気を生成し、生成された水蒸気が水蒸気送給ライン２２を通して燃料ガス送給ライン１４に送給され、この燃料ガス送給ライン１４を通して燃料ガスとともに改質器４に送給される。
【００２７】
改質器４は、燃料ガスを気化器２４からの水蒸気により水蒸気改質し、水蒸気改質された改質燃料ガスが改質燃料ガス送給ライン８を通してセルスタック６の燃料極側に送給される。尚、水蒸気送給ライン２２を改質器４に接続し、気化器２４からの水蒸気を改質器４に直接的に送給するようにしてもよく、或いは気化器２４と改質器４とを一体的に構成し、脱硫装置１６からの燃料ガスを気化器２４を通して改質器４に送給するようにしてもよい。
【００２８】
改質器４からの改質燃料ガスは、改質燃料ガス送給ライン８を通してセルスタック６の燃料極側１２に供給され、空気ブロア２０からの空気（酸化材）は、空気供給ライン１０を通してセルスタック６の空気極側に供給され、セルスタック６における改質燃料ガスの酸化及び酸化材の還元により発電が行われる。セルスタック６の発電出力は、発電出力ライン３０を介してインバータ３２に接続され、インバータ３２にて直流の発電電力が交流電力に変換され、かく交流変換された交流電力が交流出力ライン３４を介して電力負荷（図示せず）（例えば、家庭内の各種電化製品など）に供給されて消費される。
【００２９】
セルスタック６の燃料極側及び酸素極側の各排出側には燃焼域（図示せず）が設けられ、セルスタック６の燃料極側から排出された余剰の燃料ガス（即ち、セルスタック６での発電に使用されなかった燃料ガス）とその酸素極側から排出された空気（酸素を含む）とがこの燃焼域に排出されて燃焼される。燃焼域にはガス排出ライン３６が接続され、燃焼室からの排気ガスがガス排出ライン３６を通して大気に排出される。
【００３０】
この燃料電池システム２においては、セルスタック６、改質器４及び気化器２４が電池ハウジング３８内に収容されている。電池ハウジング３８は断熱部材（図示せず）を覆われた高温空間４０を規定し、この高温空間４０内にセルスタック６、改質器４及び気化器２４が収容されて高温状態に保たれる。
【００３１】
このような燃料電池システム２をコージェネレーションシステムに適用する場合、図示していないが、この燃料電池システム２に関連して貯湯装置が設けられるとともに、このガス排出ライン３６に熱交換器が配設される。貯湯装置は、貯湯するための貯湯タンクと、貯湯タンク内の水を熱交換器を通して循環するための循環ラインとを備え、この循環ラインには循環ポンプが配設される。このようなコージェネレーションシステムでは、ガス排出ライン３６を通して排出される排気ガスと循環ラインを通して循環される水との熱交換が熱交換器で行われ、熱交換にて加温された温水が貯湯タンクに貯えられ、このようにして排気ガス中の熱が温水として回収される。
【００３２】
この燃料電池システム２においては、燃料電池システム２のセルスタック６の劣化診断を行うように、次のように構成されている。図１とともに図２を参照して、この実施形態では、セルスタック６にその温度を検知するための温度検知手段４８が設けられ、インバータ３２にセルスタック６の発電出力を検知するための出力検知手段として、例えば出力電圧を検知するための出力電圧検知手段５０が設けられている。温度検知手段４８は、例えば熱電対などの温度センサから構成され、出力電圧検知手段５０は、例えば電圧検知センサから構成される。
【００３３】
この燃料電池システム２は、システム全体を制御するためのコントローラ５２を備え、出力電圧検知手段５０及び温度検知手段４８からの検知信号は、このコントローラ５２に送給される。このコントローラ５２は、例えば、マイクロプロセッサなどから構成され、制御手段５４、スタック劣化診断手段５８、タイマ手段６０及びメモリ手段６２を有している。制御手段５４は、燃料ガスポンプ２０、水ポンプ２８、空気ブロア１２及びインバータ３２などを後述する如く制御し、スタック劣化診断手段５８は、セルスタック６の劣化診断を後述する如く行う。
【００３４】
また、タイマ手段６０は計時を行い、この実施形態では、移動平均値を演算する計測時間（例えば、３０〜１２０秒程度に設定される）、出力安定判定時間（例えば、２０〜６０分程度に設定される）、劣化診断期間（例えば、３００〜１０００時間程度に設定される）及び基準寿命期間（例えば、１０年程度に設定される）などを計時し、更にメモリ手段６２には、劣化診断期間の移動平均値、基準寿命期間における劣化判定基準値（セルスタック６の劣化判定基準値）などが記憶される。
【００３５】
このスタック劣化診断手段５８は、定格運転判定手段７２、出力安定判定手段７４、移動平均値演算手段７６、温度補正演算手段７７、補機劣化勾配値演算手段７８、スタック予測劣化値演算手段８０、スタック劣化判定手段８２、電流掃引補正手段８４及び燃料ガス供給補正手段８６を含んでいる。
【００３６】
定格運転判定手段７２は、燃料電池システムの２（セルスタック６）が定格運転か否かの判定を行い、出力安定判定手段７４は、燃料電池システム２（セルスタック６）の出力が安定状態である（例えば、出力が例えば１０％以内の範囲で変動したときには出力変動なしと処理するようにすることができる）か否かを判定する。例えば、セルスタック６の定格出力が例えば７００Ｗ（例えば１０％の範囲内で変動する場合も含む）である場合に、その発電出力が７００Ｗになると、定格運転判定手段７４は定格運転と判定し、またこの定格運転状態が出力安定判定時間（例えば、３０分間に設定される）の間にわたって継続すると、出力安定判定手段７４は出力安定と判定する。
【００３７】
また、移動平均値演算手段７６は、セルスタック６の移動平均値を演算する。この実施形態では、セルスタック６の故障診断を行うのに、燃料スタック６の温度変動及び出力電圧の変動を利用している。
【００３８】
例えば、セルスタック６においては、一般的に、劣化が進行するに従いその温度が低下する傾向に、またその出力電圧が低下する傾向にあり、従って、このセルスタック６の温度の低下傾向及び／又は出力電圧の低下傾向を知ることにより劣化進行状態を診断することができる。
【００３９】
このようなことから、この実施形態では、劣化診断期間（例えば、５００時間）毎にセルスタック６の温度及びその出力電圧の劣化傾向、換言するとその劣化勾配値を演算して基準寿命期間（例えば、１０年間）におけるセルスタックの６の温度及び出力電圧の予測劣化値を演算して劣化進行を判定している。
【００４０】
この実施形態では、温度検知手段４８はセルスタック６の温度を、また出力電圧検知手段５０はセルスタック６の出力電圧を例えば１秒毎に検知し、移動平均値演算手段７６は、例えば１秒毎に直前の測定期間（例えば、６０秒）のセルスタック６の温度の平均値、即ち温度の移動平均値を演算するとともに、この測定期間の出力電圧の平均値、即ち出力電圧の移動平均値を演算し、これらの移動平均値の演算は、例えば１秒経過毎に行われる。
【００４１】
この実施形態では、スタック６の温度及び出力電圧の移動平均値は、温度補正演算手段７７により温度補正され、この温度補正を行うために、外気温度を検知するための外気温度検知手段７５（図２参照）が設けられ、この外気温度検知手段７５の検知温度に基づいて温度及び出力電圧の移動平均値の温度補正が行われる。
【００４２】
セルスタック６の温度と外気温度とは、例えば、図５に示す通りの関係があり、外気温度が上昇すると、その外気温度の上昇に応じてセルスタック６の温度も上昇する。従って、セルスタック６の温度を図５に示す関係に基づいて温度補正することにより、外気温度の影響を受けないセルスタック６の温度、この場合に温度の移動平均値を得ることができる。
【００４３】
また、セルスタック６の出力電圧（即ち、発電電圧）と外気温度とは、例えば図６に示す通りの関係があり、外気温度が上昇すると、その外気温度の上昇に応じてセルスタック６の出力電圧も上昇する。従って、セルスタック６の出力電圧を図６に示す関係に基づいて温度補正することにより、外気温度の影響を受けないセルスタック６の出力電圧、この場合に出力電圧の移動平均値を得ることができる。
【００４４】
このように温度補正されたセルスタック６の温度及び出力電圧は、メモリ手段６２に登録される。尚、この実施形態では、移動平均値演算手段７６により演算された移動平均値を温度補正しているが、移動平均値を演算する前の段階での温度検知手段４８の検知温度及び出力電圧検知手段５０の検知出力電圧を温度補正演算手段７７により温度補正するようにしてもよい。また、外気温度の影響がそれほどない場合、温度補正演算手段７７による温度補正を省略することもできる。
【００４５】
また、スタック劣化勾配値演算手段７８は、劣化診断期間（例えば、５００時間）前後の燃料スタック６の温度及び出力電圧の移動平均値、即ち劣化診断期間の経過時における温度及び出力電圧の移動平均値（即ち、現移動平均値）と一つ前の劣化診断期間における温度及び出力電圧の移動平均値（即ち、前移動平均値）と基づいてセルスタック６の劣化進行状態、即ちこの温度及び出力電圧の劣化勾配値を演算し、この劣化勾配値は、劣化進行が進むに従い大きくなる。
【００４６】
更に、スタック予測劣化値演算手段８０は、スタック劣化勾配値演算手段７８により演算された温度及び出力電圧の劣化勾配値に基づき、この劣化勾配の状態が基準寿命期間（例えば、１０年間）まで継続したときの予測劣化状態、即ち予測劣化値を演算し、スタック劣化判定手段８２は、基準寿命期間におけるセルスタック６の温度及び出力電圧の劣化判定基準値とスタック予測劣化値演算手段８０により演算されたセルスタック６の温度及び出力電圧の予測劣化値に基づいて劣化判定を行う。
【００４７】
次に、このスタック劣化判定手段８２による劣化判定を図３及び図４を参照して説明する。スタック劣化勾配値演算手段７８によるセルスタック６の温度の劣化勾配値が、例えば図３に実線Ｐ１で示す通りであると、この劣化勾配状態が基準寿命期間（例えば、１０年間）まで継続してもセルスタック６の温度の予測劣化値はその劣化判定基準値よりも大きく、このようなときには、基準寿命期間の間にわたって稼働運転してもセルスタック６の温度が劣化判定基準値を超えて低下することがほとんどなく、この場合、スタック劣化判定手段８２は、劣化進行なしとの判定を行う。
【００４８】
また、セルスタック６の温度の劣化勾配値が、例えば図３に破線Ｑ１で示す通りであると、この劣化勾配状態が基準寿命期間（例えば、１０年間）まで継続するとセルスタック６の温度の予測劣化値はその劣化判定基準値を超えて低下するようになる。このときには、基準寿命期間の間にわたって稼働運転すると、セルスタック６が基準寿命期間に達する前に大きく温度が下がって劣化するおそれが高く、スタック劣化判定手段８２は、セルスタック６がこのように大きく温度低下するおそれがあるとして劣化進行との判定を行う。
【００４９】
更に、スタック劣化勾配値演算手段７８によるセルスタック６の出力電圧の劣化勾配値が、例えば図４に実線Ｐ２で示す通りであると、この劣化勾配状態が基準寿命期間（例えば、１０年間）まで継続してもセルスタック６の出力電圧の予測劣化値はその劣化判定基準値よりも大きく、このようなときには、基準寿命期間の間にわたって稼働運転してもセルスタック６の出力電圧が劣化判定基準値を超えて低下することがほとんどなく、この場合、スタック劣化判定手段８２は、劣化進行なしとの判定を行う。
【００５０】
また、セルスタック６の出力電圧の劣化勾配値が、例えば図４に破線Ｑ２で示す通りであると、この劣化勾配状態が基準寿命期間（例えば、１０年間）まで継続するとセルスタック６の出力電圧の予測劣化値はその劣化判定基準値を超えて低下するようになる。このときには、基準寿命期間の間にわたって稼働運転すると、セルスタック６が基準寿命期間に達する前に大きく劣化するおそれが高く、スタック劣化判定手段８２は、セルスタック６の出力電圧がこのように大きく低下するおそれがあるとして劣化進行との判定を行う。
【００５１】
この燃料電池システム２におけるセルスタック６の劣化診断は、図７に示すフローチャートに従って行われる。主として図２及び図７を参照して、この実施形態では、セルスタック６の劣化診断は、セルスタック６の発電出力が定格出力（例えば、７００Ｗ）で、この定格出力状態が出力安定判定時間（例えば、３０分間）の間にわたって継続すると、ステップＳ１からステップＳ２を経てステップＳ３に進み、セルスタック６の温度及び出力電圧の検知が行われる。即ち、温度検知手段４８は、セルスタック６の温度を１秒毎に検知し、出力電圧検知手段５０は、セルスタック６の出力電圧を１秒毎に検知し、これら検知温度及び検知出力電圧がメモリ手段６２に記憶される（ステップＳ４）。
【００５２】
このセルスタック６の定格出力状態が更に計測時間（例えば、６０秒）継続すると、ステップＳ５からステップＳ６を経てステップＳ７に進み、セルスタック６の温度及び出力電圧の移動平均値の演算が行われる。移動平均値演算手段７６は、直前の計測時間における温度検知手段４８の検知温度及び出力電圧検知手段５０の検知出力電圧の平均値、即ち温度及び出力電圧の移動平均値を演算し、温度補正演算手段７７は、移動平均値演算手段７６により演算された温度及び出力電圧の移動平均値を上述したように温度補正演算し（ステップＳ８）、この温度補正されたセルスタック６の移動平均値がメモリ手段６２に上書きして記憶される（ステップＳ９）。セルスタック６の温度及び出力電圧の移動平均値（温度補正された移動平均値）の上書き登録は、劣化診断期間（例えば、５００時間）にわたって行われ、この劣化診断期間経過すると、ステップＳ１０を経てステップＳ１１に移る。
【００５３】
ステップＳ１１においては、セルスタック６の劣化進行の状態、この実施形態ではその温度及び出力電圧の劣化勾配値の演算が行われ、更にこの劣化勾配値に基づいてセルスタック６の温度及び出力電圧の予測劣化値の演算が行われ（ステップＳ１２）、そして、演算した予測劣化値に基づいてセルスタック６の劣化状態の判定が行われる。
【００５４】
スタック劣化勾配値演算手段７８は、劣化診断期間の前後のセルスタック６の温度及び出力電圧の移動平均値、即ち劣化診断期間経過時点においてメモリ手段６２に上書き登録されている温度及び出力電圧の移動平均値（現移動平均値）と一つ前の劣化診断期間においてメモリ手段６２に最終上書き登録された温度及び出力電圧の移動平均値（前移動平均値）に基づいて温度及び出力電圧の劣化勾配値を演算し、スタック予測劣化値演算手段８０は、この温度及び出力電圧の劣化勾配値を用いて基準寿命期間（例えば、稼働開始から１０年間）まで稼働したときのセルスタック６の予測劣化状態、即ちその温度及び出力電圧の予測劣化値を演算する。
【００５５】
スタック劣化判定手段８２は、セルスタック６の出力電圧変動に関連して、この演算された出力電圧の予測劣化値と基準寿命期間におけるセルスタック６の出力電圧の劣化判定基準値とを比較する。そして、この演算した出力電圧の予測劣化値が出力電圧の劣化判定基準値を超えて低下していると、ステップＳ１３からステップＳ１４に進み、基準寿命期間まで稼働運転する前の段階でセルスタック６が大きく劣化する可能性が高いとして、スタック劣化判定手段８２は劣化進行との判定をする。
【００５６】
このように劣化が進行すると、基準寿命期間まで稼働運転するとセルスタック６が大きく劣化するおそれがあるために、燃料電池システム２の劣化緩和モードの運転が行われる（ステップＳ１５）。即ち、制御手段５４の電流掃引補正手段８４は、セルスタック６の電流掃引の上限値を１段階下げ、設定上限値を例えば２Ａ下げた補正掃引電流値が設定され（ステップＳ１６）、セルスタック６から発電電力を取り出すときに、この補正掃引電流上限値を超えないように電流掃引されて発電電力が取り出される。
【００５７】
また、演算した出力電圧の予測劣化値が出力電圧の劣化判定基準値より大きいときには、セルスタック６の劣化が進んでおらず、このときには、スタック劣化判定手段８２は劣化進行なしとの判定を行い（ステップＳ１７）、その後、ステップＳ１８に進む。
【００５８】
ステップＳ１３からステップＳ１７を経てステップＳ１８に進む、又はステップＳ１３からステップＳ１４、ステップＳ１５及びステップＳ１６を経てステップＳ１８に進むと、スタック劣化判定手段８２は、次に、セルスタック６の温度に関連して、この演算された温度の予測劣化値と基準寿命期間におけるセルスタック６の温度の劣化判定基準値とを比較する。そして、この演算した温度の予測劣化値が温度の劣化判定基準値を超えて低下していると、ステップＳ１８からステップＳ１９に進み、基準寿命期間まで稼働運転する前の段階でセルスタック６の温度が大きく低下して劣化する可能性が高いとして、スタック劣化判定手段８２は劣化進行と判定する。
【００５９】
このように温度が低下してセルスタック６の劣化が進行すると、基準寿命期間まで稼働運転するとセルスタック６の温度が大きく低下して劣化するおそれがあるために、燃料電池システム２の劣化緩和モードの運転が行われる（ステップＳ２０）。このとき、制御手段５４の燃料ガス供給補正手段８６は、燃料ガスポンプ２０のガス供給量を１段階増量、例えば１０％増量するようにその駆動電圧を１段階アップし、（ステップＳ２１）、これにより、セルスタック６に供給される燃料ガスの供給が増量してセルスタック６の温度上昇が図られ、その後、ステップＳ１に戻る。
【００６０】
また、演算した温度の予測劣化値が温度の劣化判定基準値より大きいときには、セルスタック６の劣化が進んでおらず、このときには、スタック劣化判定手段８２は劣化進行なしとの判定を行い（ステップＳ２２）、その後、ステップＳ１に戻る。
【００６１】
このように、この燃料電池システム２においては、上述したように、システムの運転状態を停止させることなく、セルスタック６の劣化進行状態を診断することができる。
【００６２】
この実施形態では、セルスタック６の劣化診断を行うのに、その温度及び出力電圧の双方の変動を利用しているが、これら温度及び出力電圧の変動のいずれか一つを利用してセルスタック６の劣化診断を行うようにしてもよい。
【００６３】
以上、本発明に従う燃料電池システムの一実施形態について説明したが、本発明はかかる実施形態に限定されるものではなく、本発明の範囲を逸脱することなく種々の修正が可能である。
【００６４】
上述した実施形態では、セルスタック６の定格出力運転状態における出力安定状態のときにセルスタック６の劣化診断を行っているが、セルスタック６の部分負荷運転状態における出力安定状態のときにこの劣化診断を行うようにしてもよく、かかる場合、セルスタック６の部分負荷運転状態における部分負荷の大きさに応じて各種移動平均値（換言すると、出力電圧検知手段５０の検知電圧、温度検知手段４８の検知温度）を例えば定格出力運転状態に相当する値に補正して演算処理するのが望ましい。
【符号の説明】
【００６５】
２  燃料電池システム
４  改質器
６  セルスタック
５２  コントローラ
５４  制御手段
５８  スタック劣化診断手段
７６  移動平均値演算手段
７８  スタック劣化勾配値演算手段
８０  スタック予測劣化値演算手段
８２  スタック劣化判定手段
【図１】
2018147847.tif 000003
【図２】
2018147847.tif 000004
【図３】
2018147847.tif 000005
【図４】
2018147847.tif 000006
【図５】
2018147847.tif 000007
【図６】
2018147847.tif 000008
【図７】
2018147847.tif 000009